(57)【要約】【課題】  操作を定量的に解析し、操作性を向上させることが可能な超音波画像診断装置を提供する。【解決手段】  操作者が入力回路１を操作し、操作履歴として記憶媒体２に記憶される。例えば、操作パネルやＴＣＳの操作ボタンを操作し、操作履歴として記憶媒体２に記憶される。その後、操作者が操作履歴の解析を要求する。演算回路５は操作履歴を解析する。例えば、機能を使用頻度順に並べたリストを作成する。更に、そのリストに基づいて操作ボタンと機能とを関連付けた対応表を作成し、対応表は記憶媒体２に記憶される。例えば、使用頻度が高い機能を、トラックボール等から距離が近い操作ボタンに割り当てて、その割り当てを表した対応表を作成する。対応表が新しいものに更新され、制御回路４は、その新しい対応表に従って入力回路１の操作ボタンに機能を割り当てていく。【選択図】      図１
2005270317.tif 000002
【特許請求の範囲】
【請求項１】
超音波プローブを用いて被検体に超音波を送信し、その反射波を受信することにより前記被検体の超音波画像を得る超音波画像診断装置において、
前記超音波画像診断装置を操作する機能が割り当てられた操作ボタンと、基準操作部とを含む入力手段と、
前記操作ボタンが操作された操作履歴を記憶する記憶手段と、
前記操作履歴を解析する演算手段と、
前記演算手段の解析結果に基づいて、前記操作ボタンに割り当てられている機能を変更する制御手段と、を備え、
前記演算手段は、前記操作履歴に基づいて各機能についての使用頻度を求め、
前記制御手段は、前記基準操作部から距離が近い操作ボタン順に、前記使用頻度の高い機能を割り当てることを特徴とする超音波画像診断装置。
【請求項２】
前記操作ボタンに割り当てられている機能の変更を、操作者に認識可能に通知する通知手段を有することを特徴とする請求項１に記載の超音波画像診断装置。
【請求項３】
前記操作履歴は、操作された機能を識別する情報を含み、更に、操作者のユーザ名、検査内容又は超音波モードのうち、少なくとも１つを識別する情報を含むことを特徴とする請求項１又は請求項２のいずれかに記載の超音波画像診断装置。
【請求項４】
前記演算手段は、操作者ごと、検査内容ごと又は超音波モードごとに操作履歴を解析し、
前記制御手段は、前記演算手段の解析結果に基づいて、操作者ごと、検査内容ごと又は超音波モードごとに、前記操作ボタンに割り当てられている機能を変更することを特徴とする請求項１乃至請求項３のいずれかに記載の超音波画像診断装置。
【発明の詳細な説明】
【技術分野】
【０００１】
本発明は、超音波画像診断装置の操作性に関するものである。
【背景技術】
【０００２】
従来から、超音波画像診断装置には、操作デバイス上の操作ボタンへの機能の割り当てを行う手段が備えられている。ここで、操作デバイスは、例えば、操作パネル、ＴＣＳ（Ｔｏｕｃｈ  Ｃｏｍｍａｎｄ  Ｓｃｒｅｅｎ）、キーボード又はマウス等からなる。また、機能とは、超音波画像診断装置の動作を行うものであり、例えば、超音波画像内の距離や超音波画像の面積を計測するもの等が該当する。
【０００３】
尚、ＴＣＳには、計測される項目等が一覧表示されている。操作者は、所望の計測項目等が表示された画面位置に接触することで、装置に対する指示入力を行うことができる。このＴＣＳは、画面への接触のみで所望の入力を完了することができ、計測項目等が一覧表示されるため、使いやすさから超音波画像診断装置に備えられている。
【０００４】
従来、この割り当ては、超音波画像診断装置を操作するユーザやサービスマン等の操作者が手動で行っていた。具体的には、超音波画像診断装置に機能の割り当てを行うエディターを備えておき、そのエディターを用いて割り当てを編集していた。例えば、操作パネル上のハードウェア的な操作ボタンやＴＣＳに表示されるソフトウェア的な操作ボタンに割り当てられる機能を変更していた。
【０００５】
一方、外部に設置された装置から操作に関する情報ファイルを受けて、ＧＵＩ（グラフィカルインターフェイス）を更新して表示する画像ビューアが知られている（例えば、特許文献１）。
【０００６】
【特許文献１】特開２００３−２８８３１９号公報
【発明の開示】
【発明が解決しようとする課題】
【０００７】
しかしながら、従来技術に係る超音波画像診断装置においては、操作者の操作の特徴を定量的に解析する機能を有していなかった。例えば、操作者は、操作デバイスにおいて基準となるトラックボールやフリーズボタン（基準操作部）の上に手を置き、そこを基準として各機能が割り当てられている操作ボタンを操作する。しかし、従来の超音波画像診断装置においては、操作者の操作の特徴（例えば、各操作ボタンの使用頻度）を解析する機能を有しておらず、使用頻度が高い機能を基準となるトラックボール等から近い距離の操作ボタンに割り当てるようなことはできなかった。使用頻度が高い機能をトラックボール等から近い操作ボタンに割り当てれば、操作者が操作する距離が短くなり、操作者の負担が軽減し、超音波画像診断装置の操作性を向上させることが可能となる。しかし、従来の超音波画像診断装置においては、そのような機能を有しておらず、操作デバイス上の操作ボタンへの機能の割り当てが、操作者にとって最適になるように行われていなかった。特に、超音波画像診断装置を購入したばかりのユーザは装置の使い勝手を知らないため、エディターを用いて割り当てを変更できても、最適な割り当てを行うことができなかった。また、特許文献１に記載されている画像ビューアについても、操作者の操作の特徴を定量的に解析する機能を有しておらず、最適な割り当てを行うことができなかった。
【０００８】
本願発明は、上記の問題点を解決するものであり、操作者が超音波画像診断装置を操作した操作履歴を解析し、各機能の使用頻度を算出する演算手段を設けることにより、操作者の操作を定量的に解析し、基準操作部から距離が近い操作ボタン順に、使用頻度が高い操作ボタンを割り当てることを目的とする。そのことにより、操作者の操作の特徴を加味した機能の割り当てを可能とし、超音波画像診断装置の操作性の向上を図ること目的とする。
【課題を解決するための手段】
【０００９】
請求項１記載の発明は、超音波プローブを用いて被検体に超音波を送信し、その反射波を受信することにより前記被検体の超音波画像を得る超音波画像診断装置において、前記超音波画像診断装置を操作する機能が割り当てられた操作ボタンと、基準操作部とを含む入力手段と、前記操作ボタンが操作された操作履歴を記憶する記憶手段と、前記操作履歴を解析する演算手段と、前記演算手段の解析結果に基づいて、前記操作ボタンに割り当てられている機能を変更する制御手段と、を備え、前記演算手段は、前記操作履歴に基づいて各機能についての使用頻度を求め、前記制御手段は、前記基準操作部から距離が近い操作ボタン順に、前記使用頻度の高い機能を割り当てることを特徴とする超音波画像診断装置である。
【００１０】
請求項２に記載の発明は、請求項１に記載の超音波画像診断装置であって、前記操作ボタンに割り当てられている機能の変更を、操作者に認識可能に通知する通知手段を有することを特徴とするものである。
【００１１】
請求項３に記載の発明は、請求項１又は請求項２のいずれかに記載の超音波画像診断装置であって、前記操作履歴は、操作された機能を識別する情報を含み、更に、操作者のユーザ名、検査内容又は超音波モードのうち、少なくとも１つを識別する情報を含むことを特徴とするものである。
【００１２】
請求項４に記載の発明は、請求項１乃至請求項３のいずれかに記載の超音波画像診断装置であって、前記演算手段は、操作者ごと、検査内容ごと又は超音波モードごとに操作履歴を解析し、前記制御手段は、前記演算手段の解析結果に基づいて、操作者ごと、検査内容ごと又は超音波モードごとに、前記操作ボタンに割り当てられている機能を変更することを特徴とするものである。
【発明の効果】
【００１３】
請求項１に記載の超音波画像診断装置によれば、操作履歴の操作内容を解析する演算手段を設け、その解析結果に基づいて操作ボタンに割り当てられている機能を変更することにより、操作者の操作の特徴を加味した機能の変更を行うことが可能となる。特に、各機能の使用頻度を求め、基準操作部から距離が近い操作ボタン順に、使用頻度の高い機能を割り当てることにより、操作者が超音波画像診断装置を操作する操作距離を短くすることが可能となる。操作者が基準操作部に手を置いて超音波画像診断装置の操作をする場合、使用頻度の高い機能を基準操作部から近い操作ボタンに割り当てると操作距離が短くなる。その結果、超音波画像診断装置の操作性が向上する。
【００１４】
また、請求項２に記載の超音波画像診断装置によれば、通知手段を設けることにより、操作者は、操作ボタンに割り当てられた機能の変更を容易に認識することが可能となる。
【００１５】
また、請求項３に記載の超音波画像診断装置によれば、操作履歴に操作された機能の情報やユーザ名の情報等を含ませることにより、以前操作されたときの機能等を容易に知ることが可能となる。
【００１６】
更に、請求項４に記載の超音波画像診断装置によれば、操作者ごと、検査内容ごと又は超音波モードごとに、操作ボタンに割り当てられている機能を変更することにより、操作者や検査の特徴に対応することが可能となる。
【発明を実施するための最良の形態】
【００１７】
本願発明の実施形態に係る超音波画像診断装置について、図１乃至図６を参照しつつ説明する。
【００１８】
（構成）
本願発明の実施形態に係る超音波画像診断装置の構成について図１及び図２を参照しつつ説明する。図１は、本願発明の実施形態に係る超音波画像診断装置の概略構成を示すブロック図である。図２は、本願発明の実施形態に係る超音波画像診断装置に設置されている操作パネル及びＴＣＳの上面図である。
【００１９】
図１に示すように、本願発明の実施形態に係る超音波画像診断装置１０は、入力回路１と、記憶媒体２と、制御回路４と、演算回路５と、モニタ６とからなる。入力回路１、記憶媒体２、演算回路５及びモニタ６は、それぞれ制御回路４に接続されており、制御回路４によって制御されている。
【００２０】
また、被検体に超音波を送信し、被検体からの反射波を受信する超音波プローブ７Ａと、送受信回路７Ｂと、画像データ変換回路７Ｃと、表示制御回路７Ｄと、が超音波画像診断装置１０に備えられている。送受信回路７Ｂは、超音波プローブ７Ａに電気信号を供給して超音波を発生させるとともに、超音波プローブ７Ａが受信したエコー信号を受信する。画像データ変換回路７Ｃは、送受信回路７Ｂが受信したエコー信号を被検体の超音波画像データに変換する。表示制御回路７Ｄは、画像データ変換回路７Ｃによって変換された超音波画像データを、モニタ６を制御して表示する。そして、超音波プローブ７Ａが受信した信号から超音波画像が形成され、モニタ６でその超音波画像が表示される。制御回路４には、送受信回路７Ｂと、画像データ変換回路７Ｃと、表示制御回路７Ｄとが接続されており、制御回路４はこれら各部の動作を制御している。
【００２１】
入力回路１は、操作パネル、ＴＣＳ、キーボード、マウス又はモニタ６上に表示するＧＵＩ等からなる。操作者が入力回路１を操作することにより入力された命令に対応する信号は制御回路４に送られ、その命令に応じた処理が行われる。この入力回路１が本願発明の「入力手段」に相当する。
【００２２】
ここで、図２を参照しつつ入力回路１の具体例として、操作パネル及びＴＣＳの構成について説明する。同図に示すように、操作パネル３０には、フリーズボタン３１と、トラックボール３２と、複数の操作ボタン３３とが配置されている。操作ボタン３３は、フリーズボタン３１及びトラックボール３２の周辺に配置されている。
【００２３】
トラックボール３２は、超音波画像をカラー表示する際や、ドップラ画像を表示する際や、計測カーソル等の関心領域の設定の際に頻繁に使用される。フリーズボタン３１は、例えば、モニタ６に表示中の超音波画像の静止画像を得る際に使用され、操作者がフリーズボタン３１を押すことにより、モニタ６に静止画像を表示させることができる。尚、フリーズボタン３１又はトラックボール３２が本願発明の「基準操作部」に相当する。
【００２４】
操作ボタン３３はハードウェア的なボタンスイッチであり、これらの操作ボタン３３には、超音波画像診断装置１０の動作を行う機能がソフトウェア的に割り当てられている。例えば、超音波画像内の距離や超音波画像の面積を計測する機能や、モニタ６の画質を調整する機能や、画像の付帯情報となるボディーマークを入力する機能等が操作ボタン３３に割り当てられている。
【００２５】
また、ＴＣＳ３４には、ソフトウェア的なスイッチとしての操作ボタン３５が表示される。このソフトウェア的な操作ボタン３５にも、超音波画像診断装置１０の動作を行う機能が割り当てられている。一般的に、超音波画像診断装置において操作者が行う入力は、３０００〜１００００種類あると想定されている。ハードウェア的な操作ボタン３３では、その数の入力を持たせることができないため、ＴＣＳ３４上にソフトウェア的な操作ボタン３５として提供されている。ソフトウェア的な操作ボタン３５は、必要時に必要なものだけをＴＣＳ３４上に表示すれば良いため、多くの入力を持たせることが可能となる。
【００２６】
例えば、被検体の断層像をスキャンして、モニタ６に画像表示をリアルタイムに行っているモードでは、ＴＣＳ３４上に、図３に示すような画像の画質調整に関する操作ボタン３５を表示させる。また、フリーズボタン３１を押してモニタ６に静止画像を表示させた後、図４に示すような距離や面積計測等の診断アプリケーションに関する操作ボタン３５を表示させたり、図５に示すような画像の付帯情報となるボディーマークに関する操作ボタン３５を表示させたりする。
【００２７】
一般的に、超音波画像診断装置においては、操作者は、右手で超音波プローブを操作し、左手で操作パネル３０を操作するが、左手は操作頻度の高いフリーズボタン３１かトラックボール３２の下に置くことが多い。フリーズボタン３１は、超音波プローブを動かしてスキャン断面を変えながら関心断面を探すとき、関心断面を得ると同時に静止画像を表示させたいことが多いため、頻繁に操作される。また、トラックボール３２は、超音波画像のカラー表示や、ドップラ画像の表示や、計測カーソル等の関心領域の設定のために頻繁に操作される。従って、フリーズボタン３１やトラックボール３２の位置から近いボタン順に、使用頻度の高い機能を順番に割り当てていけば、ルーチン検査における左手の操作距離を短くすることができる。
【００２８】
再び、図１に示す超音波画像診断装置１０の構成の説明に戻る。記憶媒体２は、入力回路１上の操作ボタン３３（３５）とその操作ボタン３３（３５）に割り当てる機能を対応付けた情報や、操作ボタン３３（３５）の位置情報等を記憶する。例えば、操作ボタン３３（３５）と機能とが関連付けられた表を予め作成しておき、記憶媒体２はその表を記憶する。また、記憶媒体２は、操作者が超音波画像診断装置１０を操作したときの操作履歴を記憶する。例えば、操作者が入力回路１を操作したときの操作が操作履歴として記憶媒体２に記憶される。また、操作ボタン３３（３５）の位置情報として、フリーズボタン３１又はトラックボール３２等の基準操作部から各操作ボタン３３（３５）までの距離が記憶媒体２に記憶される。
【００２９】
操作履歴には、操作者が実際に行った機能が書き込まれ、更に、操作者のユーザ名、診断内容、超音波モード等が、操作を行った日時等とともに書き込まれる。
【００３０】
演算回路５は、記憶媒体２に記憶されている操作履歴を解析し、入力回路１上の操作ボタン３３（３５）に機能を最適に割り当てる条件を算出する。演算回路５による操作履歴の解析は、操作者の要求に応じて行っても良いし、操作履歴が一定数蓄積された時点で自動的に解析を行うようにしても良い。演算回路５は、操作履歴を解析し、例えば、操作された機能を使用頻度順に並べたリストを作成したり、各機能についての使用頻度を算出したりする。この演算回路５が本願発明の「演算手段」に相当する。
【００３１】
また、モニタ６は、超音波画像や機能の割り当てに関する情報を表示する。尚、入力回路１、制御回路４、及び演算回路５に含まれるＧＵＩは、ＣＰＵ及びＲＯＭで構成されている。ＲＯＭには、図６に示されるような機能をＣＰＵに行わせるプログラムが記憶されている。
【００３２】
（作用）
次に、本実施形態に係る超音波画像診断装置の作用について、図６に示すフローチャートを参照しつつ説明する。
【００３３】
まず、操作者が入力回路１を操作し（ステップＳ０１）、その操作が操作履歴として記憶媒体２に記憶される（ステップＳ０２）。例えば、操作者が、操作パネル３０上のハードウェア的な操作ボタン３３やＴＣＳ３４上のソフトウェア的な操作ボタン３５を操作し、その操作が操作履歴として記憶媒体２に記憶される。
【００３４】
次に、操作者が一定時間、一定回数のルーチン操作を行い、記憶媒体２に操作履歴が蓄積された後、操作者が入力回路１を介して超音波画像診断装置１０に対し、操作履歴の解析を要求する（ステップＳ０３）。そして、演算回路５はその解析の要求に対応する信号を受けて、記憶媒体２に記憶されている操作履歴を解析する（ステップＳ０４）。例えば、操作された各機能の使用頻度を算出し、各機能を使用頻度順に並べたリストを作成する。本実施形態においては、操作者の要求に応じて演算回路５は操作履歴を解析したが、操作履歴が一定数蓄積された時点で、自動的に演算回路５が操作履歴の解析を行なうようにしても良い。
【００３５】
更に演算回路５は、使用頻度順に並べたリストに基づいて操作ボタン３３（３５）と機能とを関連付けた対応表を作成する（ステップＳ０５）。具体的には、使用頻度が高い機能を、フリーズボタン３１又はトラックボール３２から距離が近い操作ボタン３３（３５）に割り当てて、その割り当てを表した対応表を作成する。記憶媒体２には、フリーズボタン３１等から各操作ボタン３３（３５）までの距離が記憶されているため、その距離を参照して割り当てを行う。
【００３６】
この新しい割り当てを表した対応表は、記憶媒体２に記憶され、対応表が新しいものに更新される（ステップＳ０６）。そして、制御回路４が、その新しい対応表に従って、入力回路１の操作ボタン３３（３５）に機能を割り当てていく（ステップＳ０７）。このように、新しい対応表に従って、機能を割り当てることにより、フリーズボタン３１又はトラックボール３２から距離が近い操作ボタン３３（３５）に使用頻度の高い機能を割り当てることが可能となる。そのことにより、ルーチン検査における操作者の操作距離を短くすることができ、超音波画像診断装置の操作性を向上させることが可能となる。尚、ステップＳ０６では、対応表を新しいものに更新せずに、複数の対応表を記憶媒体２に記憶しても良い。
【００３７】
また、ステップＳ０５において新しい対応表が作成されたとき、制御回路４の制御により、モニタ６にその新しい対応表を表示するようにしても良い。そして、ユーザやサービスマン等の操作者は、その新しい対応表に基づいて機能の割り当てを変更するか否かの判断をする。操作者の了解が得られれば、操作者は入力回路１を操作して更新の命令を行い、制御回路４はその命令に応じて、記憶媒体２に記憶されている対応表を新しい対応表に更新する。そして、その新しい対応表に従って、入力回路１の操作ボタン３３（３５）に機能を割り当てていく。尚、この場合も、対応表を新しいものに更新せずに、複数の対応表を記憶媒体２に記憶しても良い。モニタ６が本願発明の「通知手段」に相当する。また、通知手段としては、スピーカ等により音声（声）で通知するものであっても良い。
【００３８】
また、操作者ごと、検査内容ごと又は超音波モードごとに操作履歴を解析して、入力回路１の操作ボタン３３（３４）に機能を割り当てても良い。
【００３９】
図３乃至図５を参照して説明したＴＣＳ３４上に表示される操作ボタン３５は、操作者や検査内容等により使用頻度に偏りがある。また、予め操作パネル３０上に配置された操作ボタン３３も、操作者や検査内容等によってまったく使用しないものもある。従って、使用頻度の高いＴＣＳ３４上の操作ボタン３５を、フリーズボタン３１又はトラックボール３２に近いハードウェア的な操作ボタン３３に配置すれば、操作者の操作距離は短くなる。
【００４０】
また、例えば循環器（心臓）の検査を行う場合、ドプラ関心位置や画像の画角を調整する機能が頻繁に使用されるが、腹部の検査を行う場合には、これらの機能はまったく使用されない。図４及び図５に示すように、ＴＣＳ３３上の操作ボタン３５に割り当てられた機能は１０種類以上あるが、操作者がどのような疾患の検査を頻繁に行うかによって、その中の特定の機能だけが頻繁に使用される。
【００４１】
従って、操作者ごとや検査内容ごとに操作ボタン３３（３５）に機能を割り当てれば、検査や操作者の特徴に対応させることが可能となる。
【００４２】
例えば、操作者ごとに操作履歴を解析し、操作者ごとに操作ボタン３３（３５）に機能を割り当てる例について説明する。操作者ごとに操作履歴を解析する場合は、超音波画像診断装置１０を使用する際に、入力回路１により、操作者のユーザ名やユーザＩＤを入力する。このユーザ名やユーザＩＤは、操作ボタン３３（３５）の操作履歴とともに、記憶媒体２に記憶される。
【００４３】
そして、上述したように、演算回路５が操作履歴を解析して使用頻度順に並べたリストを作成し、各操作者に対応した、操作ボタン３３（３５）と機能とを関連付けた対応表を作成する。この対応表は、操作者ごとに作成され、操作者ごとの対応表が記憶媒体２に記憶されることになる。その対応表に従って機能を割り当てることにより、フリーズボタン３１又はトラックボール３２から距離が近い操作ボタン３３（３５）に使用頻度が高い機能を割り当てることが可能となる。このように操作者ごとに履歴を解析することにより、操作者の特徴に対応した機能の割り当てを行うことが可能となる。
【００４４】
検査内容ごとや超音波モードごとに操作ボタン３３（３５）に機能を割り当てる場合も、操作者ごとに割り当てる場合と同様である。尚、検査内容には、循環器、腹部、胸部、胎児、産科等といった検査分野と、頚動脈、心臓、肝臓、膵臓、表層等といった検査部位とが含まれる。また、超音波モードには、被検体の断層像を収集するＢモードや、カラー断層像を収集するＢカラーモードや、ドプラスペクトラムを収集するドプラモード等が含まれる。検査内容や超音波モードによって使用される機能も異なるため、検査内容や超音波モードごとに履歴を解析することにより、それらの特徴に対応した機能の割り当てを行うことが可能となる。
【００４５】
この場合も、超音波画像診断装置１０を使用する際に、入力回路１により検査内容や超音波モードを入力する。これらは、操作ボタン３３（３５）の操作履歴とともに、記憶媒体２に記憶される。そして、演算回路５により、操作ボタン３３（３５）と機能とを関連付けた対応表が作成される。この対応表は、検査内容ごとや超音波モードごとに作成され、検査内容ごとや超音波モードごとの対応表が記憶媒体２に記憶される。その対応表に従って操作ボタン３３（３５）に機能を割り当てることにより、検査内容や超音波モードの特徴に対応した機能の割り当てを行うことが可能となる。
【００４６】
また、本願発明においては、操作履歴を解析する代わりに、例えば、演算回路５が機能ごとに操作された回数をカウントし、機能ごとの回数を記憶媒体２に記憶しても良い。そして、制御回路４が、操作回数が多い機能をフリーズボタン３１又はトラックボール３２から距離が近い操作ボタン３３（３５）に割り当てるようにしても良い。
【図面の簡単な説明】
【００４７】
【図１】本願発明の実施形態に係る超音波画像診断装置の概略構成を示すブロック図である。
【図２】本願発明の実施形態に係る超音波画像診断装置に備えられた操作パネル及びＴＣＳを示す上面図である。
【図３】ＴＣＳ上に表示される画質調整に関する操作ボタンの説明図である。
【図４】ＴＣＳ上に表示される診断アプリケーションに関する操作ボタンの説明図である。
【図５】ＴＣＳ上に表示されるボディーマークに関する操作ボタンの説明図である。
【図６】本願発明の実施形態に係る超音波画像診断装置の動作を説明するフローチャートである。
【符号の説明】
【００４８】
１  入力回路
２  記憶媒体
４  制御回路
５  演算回路
６  モニタ
１０  超音波画像診断装置
３０  操作パネル
３１  フリーズボタン
３２  トラックボール
３３、３５  操作ボタン
３４  ＴＣＳ（Ｔｏｕｃｈ  Ｃｏｍｍａｎｄ  Ｓｃｒｅｅｎ）
【図１】
2005270317.tif 000003
【図２】
2005270317.tif 000004
【図３】
2005270317.tif 000005
【図４】
2005270317.tif 000006
【図５】
2005270317.tif 000007
【図６】
2005270317.tif 000008